【事件の表示】
　平成１１年特許願第　１９８４６号「イオン濃度調整装置」拒絶査定不服審判事件〔平成１２年　８月　８日出願公開、特開２０００−２１７９１２号〕について、次のとおり審決する。
【結　論】
　本件審判の請求は、成り立たない。
【理　由】
１．手続の経緯
　本願は、平成１１年１月２８日の出願であって、平成１４年５月２７日付で拒絶査定がなされ、これに対し、同年７月３日に拒絶査定に対する審判請求がなされるとともに、同日付で手続補正がなされたものである。
　
２．平成１４年７月３日付の手続補正についての補正却下の決定
［補正却下の決定の結論］
　平成１４年７月３日付の手続補正を却下する。
　
［理由］
（１）補正後の本願発明
　本件補正により、特許請求の範囲の請求項１は、
「接続部（２０）とイオン濃度調整体（２１）と連結体（２２）と輸血セット部（２３、２３Ａ、２３Ｂ）から構成され、
　前記接続部（２０）は
、導入針（３）の下流に連結チューブ（４）を接続し、当該連結チューブ（４）の途中に混注部材（５）を配置することにより構成され、
を有する筒体（２）の
上部
下部
するとともに当該筒体（２）の上端と下端にそれぞれ上部キャップ（６）と下部キャップ（６Ａ）を冠着し、前記
前記
充填することにより構成され、
上部
下部
　
当該
前記上部
前記下部
前記上部
前記下部
させる役割を果たし、
の下流に
当該
　
前記接続部（２０）の下流に前記イオン濃度調整体（２１）が配置され、当該イオン濃度調整体（２１）の下流に前記連結体（２２）が配置され、当該連結体（２２）の下流に前記輸血セット部（２３、２３Ａ、２３Ｂ）が配置され、
前記接続部（２０）の連結チューブ（４）の下流は、前記イオン濃度調整体（２１）を構成する上部キャップ（６）に接続され、　前記イオン濃度調整体（２１）を構成する下部キャップ（６Ａ）は、前記連結体（２２）を構成する上部連結チューブ（４Ａ）に接続され、　前記連結体（２２）を構成する下部連結チューブ（４Ｂ）の下流は、前記輸血セット部（２３、２３Ａ、２３Ｂ）を構成する点滴筒（１２）に接続されている、
と補正された。なお、請求項１に記載された「前記接続部材（２０）」は「前記接続部（２０）」の誤記であると認められるので、上記のように認定した。
　上記補正は、発明を特定するために必要な事項である「接続部（２０）」について「導入針（３）の下流に連結チューブ（４）を接続し、当該連結チューブ（４）の途中に混注部材（５）を配置することにより構成され」との限定を付加し、同じく「フィルター（７、７Ａ）」を装着する対象について「筒体（２）」との限定を付加し、「イオン濃度調整体（２１）」について「筒体（２）の上端と下端にそれぞれ上部キャップ（６）と下部キャップ（６Ａ）を冠着し」との限定を付加し、「接続部（２０）」と「イオン濃度調整体（２１）」と「連結体（２２）」と「輸血セット部（２３、２３Ａ、２３Ｂ）」との配置関係について「前記接続部（２０）の下流に前記イオン濃度調整体（２１）が配置され、当該イオン濃度調整体（２１）の下流に前記連結体（２２）が配置され、当該連結体（２２）の下流に前記輸血セット部（２３、２３Ａ、２３Ｂ）が配置され、前記接続部（２０）の連結チューブ（４）の下流は、前記イオン濃度調整体（２１）を構成する上部キャップ（６）に接続され、前記イオン濃度調整体（２１）を構成する下部キャップ（６Ａ）は、前記連結体（２２）を構成する上部連結チューブ（４Ａ）に接続され、前記連結体（２２）を構成する下部連結チューブ（４Ｂ）の下流は、前記輸血セット部（２３、２３Ａ、２３Ｂ）を構成する点滴筒（１２）に接続されている」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用例
（２−１）原査定の拒絶の理由に引用された特開平９−１５４９４２号公報（以下、「引用例１」という。）には、図面と共に次の事項が記載されている。
（Ａ）「保存血液製剤を誘導するチューブ３（４１）、１０（４２）と、患者に保存血液製剤を輸注する注射針１１（４７）を備えた保存血液製剤の輸血装置」（特許請求の範囲の請求項１）
（Ｂ）「輸血装置１Ｌの使用方法の一例について説明する。輸血装置１Ｌを図１のように組み立てて高圧蒸気滅菌処理を行った後、風船状の封止部材７９の基部をシールして（図１でＳはシール部）風船部７９ａを切り離す。輸血装置１Ｌにより保存血液製剤を患者に輸血する場合、図２に示すように封止部材７９を取り外すとともに輸血部材８０（輸血チューブ８１の途中にロールクランプ８２を装着し、輸血チューブ８１の両端に輸血針８３と注射針８４を接続することにより構成される）の輸血針８３を輸血口７８に連結し、保存血液製剤が収納されている血液バッグ１４を所定の高さに吊下げ、連結針２をその血液バッグ１４の輸血口８５に差し込んで接続し、輸血チューブ８１を閉塞しているロールクランプ８２を開放する。これにより血液バッグ１４内部の保存血液製剤をヘッド差により連結針２、イオン濃度調整室６ａ、輸血チューブ８１の順に通して行き、注射針８４を患者に穿刺した後、ロールクランプ８２で保存血液製剤の流速の調整を行いながら輸血を行う。」（第４頁右欄第２２行〜同欄第３９行）
（Ｃ）「図４に示す輸血装置１ａを構成するイオン濃度調整室６ａの中にイオン濃度調整体８ａとして平均粒径０．４ｍｍの陽イオン交換樹脂（ポリスチレンスルホン酸ナトリウム）２０ｍｌと平均粒径０．６ｍｍの陰イオン交換樹脂（塩化トリメチルアンモニウム）５ｍｌの混合体を装填するとともにイオン濃度調整体８ａの内部に充填液として生理食塩液を２５ｍｌ充填し、６０℃で５日〜１５日間保存した。」（第５頁右欄第１３行〜同欄第２０行）
（Ｄ）「図４の輸血装置１ａはイオン濃度調整室６ａと、保存血液製剤の誘導チューブである連結チューブ３及び輸血チューブ１０を有している。イオン濃度調整室６ａは保存血液製剤の導入口５と導出口９を有しており、連結チューブ３は導入口５と接続され、輸血チューブ１０は導出口９と接続されている。連結チューブ３の先端部には保存血液を導入するための連結針２が装着されており、該連結チューブ３の途中にはロールクランプ４ａが装着されている。また輸血チューブ１０の後端部には注射針１１が装着され、該輸血チューブ１０の途中にもロールクランプ４ｂが装着されている。なお、連結チューブ３及び輸血チューブ１０は可とう性の塩化ビニル樹脂等の合成樹脂で構成されている。前記イオン濃度調整室６ａの内部にはイオン濃度調整体８ａが装填され、そのイオン濃度調整体８ａの上下両端部に支持フィルタ７ａ、７ｂが装着されている。」（第６頁左欄第２行〜同欄第１７行）
（Ｅ）「図４に示す輸血装置１ａにより保存血液製剤を患者に輸血する場合、保存血液製剤が収納されている血液バッグ（図示せず）を所定の高さに吊下げ、連結針２をその血液バッグの輸血口に差し込んで接続し、連結チューブ３及び輸液チューブ１０を閉塞しているロールクランプ４ａ、４ｂを開放する。これにより血液バッグ内部の保存血液製剤は、ヘッド差により、連結チューブ３、イオン濃度調整室６ａ、輸血チューブ１０、注射針１１の順に流出する。注射針１１からの流出を確認した後、一旦輸血チューブ１０のロールクランプ４ｂを閉じ、注射針１１を患者の血管に穿刺し、その後ロールクランプ４ｂを徐々に開放し血液流速を調整して輸血する。」（第６頁左欄第１８行〜同欄第３０行）
（Ｆ）「図６に示す輸血装置１ｃは、図４に示す輸血装置１ａの連結チューブ３の先端部に、連結針２に代えて、連通ピース１３を介して血液バッグ１４を連結した例である。連通ピース１３の構成は従来から知られており、例えば頭部が封止されている硬質樹脂製の筒体を、血液バッグ１４における連結チューブ３との接続口に挿入し、使用時に指で筒体の頭部を押して破断し、流路を開通させる構成となっている。」（第６頁左欄第４１行〜同欄第４８行）
（Ｇ）「図１１に示す輸血装置１ｅは、図４に示した輸血装置１ａにプライミング処理装置を設け、使用前にプライミング処理できるようにした例である。即ち、イオン濃度調整室６ａには、プライミング液の導入口５ａと導出口９ａが設けられており、イオン濃度調整室６ａの内部には、あらかじめ生理食塩水溶液、リンゲル液等のプライミング液が充填されている。」（第７頁左欄第１２行〜同欄第１８行）
（Ｈ）「イオン濃度調整室にプライミング液を充填しておき、プライミング容器２３や廃液容器２８等からなるプライミング処理装置を設けることにより、イオン濃度調整体より溶出する溶出物を無菌的に、かつ簡便に洗浄・除去することができ、輸血装置の長期保存が可能である。」（第７頁左欄第４４行〜同欄第４９行）
（Ｉ）「輸血チューブ４２の後端部には注射針４７が装着され、同チューブ４１の途中にはドリップチャンバー４６とロールクランプ４５が装着されている。」（第７頁右欄第３２行〜同欄第３５行）
（Ｊ）また、図１及び図２には、イオン濃度調整室６ａを有する筒体の上部と下部にそれぞれ支持フィルタ７ａ、支持フィルタ７ｂを装着した輸血装置１Ｌであって、当該筒体の上端と下端にそれぞれ上部キャップと下部キャップを冠着した輸血装置１Ｌが示されており、図４にも当該輸血装置１Ｌと同様の構成を備えた輸血装置１ａが示されている。
（Ｋ）また、図４には、連結針２、連結チューブ３及びロールクランプ４ａからなる接続部の下流に輸血装置１ａが配置され、輸血装置１ａの下流に輸血チューブ１０、ロールクランプ４ｂ及び注射針１１からなる輸血部材が配置され、接続部の連結チューブ３の下流は、輸血装置１ａを構成する上キャップに接続され、輸血装置１ａを構成する下部キャップは、輸血チューブ１０、ロールクランプ４ｂ及び注射針１１からなる輸血部材に接続されている点が示されている。
（Ｌ）また、図２には、輸血装置１Ｌと輸血部材８０を連結するための連結体が、輸血装置１Ｌの下流に接続される輸血口７８と、輸血部材８０の上流に接続される輸血針８３とから構成されている点、輸血装置１Ｌの下流に連結体が配置され、連結体の下流に輸血部材８０が配置されている点、輸血装置１Ｌを構成する上部キャップは、連結体を構成する輸血口７８に接続され、連結体を構成する輸血針８３の下流は、輸血部材８０に接続されている点、が示されている。
（Ｍ）また、図１６には、ドリップチャンバー４６の下流に輸血チューブ４２を接続し、輸血チューブ４２の途中にロールクランプ４５を装着するとともに末端に注射針４７を装着した輸血部材が示されている。
　
　これらの記載事項及び図示内容を総合すると、引用例１には、
「接続部と輸血装置１ａと連結体と輸血部材から構成され、
　前記接続部は、連結針２の下流に連結チューブ３を接続することにより構成され、
　前記輸血装置１ａは、イオン濃度調整室６ａを有する筒体の上部と下部にそれぞれ支持フィルタ７ａと支持フィルタ７ｂを装着するとともに当該筒体の上端と下端にそれぞれ上部キャップと下部キャップを冠着し、前記フィルター７ａ、７ｂの間にイオン濃度調整体８ａを装填し、前記イオン濃度調整室６ａ内にプライミング液を充填することにより構成され、
　前記連結体は前記輸血装置１ａの下流に接続される輸血口７８と、前記輸血部材の上流に接続される輸血針８３とより構成され、
　前記輸血部材は、ドリップチャンバー４６の下流に輸血チューブ４２を接続し、当該輸血チューブ４２の途中にロールクランプ４５を装着するとともに末端に注射針４７を装着することにより構成され、
　前記接続部の下流に前記輸血装置１ａが配置され、当該輸血装置１ａの下流に前記連結体が配置され、当該連結体の下流に前記輸血部材が配置され、
　前記接続部の連結チューブ３の下流は、前記輸血装置１ａを構成する上部キャップに接続され、
　前記輸血装置１ａを構成する下部キャップは、前記連結体を構成する輸血口７８に接続され、
　前記連結体を構成する輸血針８３の下流は、前記輸血部材を構成するドリップチャンバー４６に接続されている、保存血液製剤の輸血装置。」
の発明（以下、「引用発明１」という。）が記載されていると認めることができる。
　
（２−２）同じく、原査定の拒絶の理由に引用された実願昭６１−１７４１０２号（実開昭６３−７９９４４号）のマイクロフィルム（以下、「引用例２」という。）には、図面と共に次の事項が記載されている。
（Ａ）「本考案は、体外循環回路、輸血液セット等の医療用具を構成する体液移送チューブの途中に設けられ、薬液の混注またはエアーの注入、エアー抜き等を行なう際に使用される混注部の改良に関する。」（第１頁第１６行〜同頁第２０行）
（Ｂ）「使用に際しては、指でキャップ３の鍔部１２を引掛けて本体２からキャップ３を取りはずし針１５を穿刺して、血液のサンプリング、薬液の注入、エアー抜き等の作業を行ない、針１５を抜いてすばやくキャップ３を本体２に装着する。」（第５頁第４行〜同頁第９行）
　これらの記載事項及び図示内容を総合すると、引用例２には、
「輸血液セット等の医療用具を構成する体液移送チューブの途中に設けた混注部であって、針１５を穿刺することにより、エアーの注入を行なうための混注部」
の発明（以下、「引用発明２」という。）が記載されていると認めることができる。
　
（３）対比
　そこで、本願補正発明と引用発明１とを対比すると、後者における「輸血装置１ａ」がその作用・機能からみて前者における「イオン濃度調整体（２１）」に相当し、以下同様に、「輸血部材」が「輸血セット部（２３、２３Ａ、２３Ｂ）」に、「連結針２」が「導入針（３）」に、「連結チューブ３」が「連結チューブ（４）」に、「イオン濃度調整室６ａ」が「イオン調整室（８）」に、「支持フィルタ７ａ」が「上部フィルター（７）」に、「支持フィルタ７ｂ」が「下部フィルター（７Ａ）」に、「イオン濃度調整体８ａ」が「イオン交換樹脂（９）」に、「プライミング液」が「イオン交換樹脂保護液（１０）」に、「輸血口７８」が「上部連結チューブ（４Ａ）」に、「輸血針８３」が「下部連結チューブ（４Ｂ）」に、「ドリップチャンバー４６」が「点滴筒」に、「輸血チューブ４２」が「輸血チューブ（１３）」に、「ロールクランプ４５」が「クランプ（１４）」に、「注射針４７」が「注射針（１５）」に、「保存血液製剤の輸血装置」が「イオン濃度調整装置（１、１Ｂ）」に、それぞれ相当している。
　
　したがって、両者は、
「接続部とイオン濃度調整体と連結体と輸血セット部から構成され、
　前記接続部は、導入針の下流に連結チューブを接続することにより構成され、
　前記イオン濃度調整体は、イオン調整室を有する筒体の上部と下部にそれぞれ上部フィルターと下部フィルターを装着するとともに当該筒体の上端と下端にそれぞれ上部キャップと下部キャップを冠着し、前記フィルターの間にイオン交換樹脂を装填し、前記イオン調整室内にイオン交換樹脂保護液を充填することにより構成され、
　前記連結体は前記イオン濃度調整体の下流に接続される上部連結チューブと、前記輸血セット部の上流に接続される下部連結チューブとより構成され、
　前記輸血セット部は、点滴筒の下流に輸血チューブを接続し、当該輸血チューブの途中にクランプを装着するとともに末端に注射針を装着することにより構成され、
　前記接続部の下流に前記イオン濃度調整体が配置され、当該イオン濃度調整体の下流に前記連結体が配置され、当該連結体の下流に前記輸血セット部が配置され、
　前記接続部の連結チューブの下流は、前記イオン濃度調整体を構成する上部キャップに接続され、
　前記イオン濃度調整体を構成する下部キャップは、前記連結体を構成する上部連結チューブに接続され、
　前記連結体を構成する下部連結チューブの下流は、前記輸血セット部を構成する点滴筒に接続されている、イオン濃度調整装置。」
の点で一致し、以下の点で相違している。
［相違点１］本願補正発明の接続部には、連結チューブの途中に混注部材が配置されているのに対して、引用発明１の接続部には、混注部材が設けられていない点。
［相違点２］本願補正発明の連結体は、上部連結チューブと下部連結チューブとの間に配置された連通部材、即ち、イオン調整室に充填されているイオン交換樹脂保護液が上部連結チューブから下部連結チューブへ流通するのを遮断する役割を果たすとともに前記イオン交換樹脂保護液を前記上部連結チューブから前記下部連結チューブへ流通させる役割を果たす連通部材を備えているのに対し、引用発明１の連結体は、連通部材を備えていない点。
　
（４）判断
［相違点１］について
　本願明細書の段落００１０には、「輸血の終了時には、前記混注部材５及び１６に後述する図１３の通気針（２８ａ、２８ｂ、２８ｃ、２８ｄ、２８ｅ、２８ｆ）を穿刺して、イオン濃度調整体２１内に空気を導入し、前記イオン濃度調整体２１内に残った血液を無駄なく効率的に処理することができる」と記載されており、この記載からみて、本願補正発明における「混注部材」は通気針を穿刺して空気を内部に導入するために設けられたものであると認められる。そうすると、引用発明２における「針１５を穿刺することにより、エアーの注入を行なうための混注部」は、本願補正発明の「混注部材」に相当するということができる。そして、血液等の液体処理器において、液体処理器内へ空気を導入することにより、液体処理器内に残留する血液を完全に排出することは、例えば特開平２−６３４７０号公報などに見られるように、従来周知の技術にすぎないから、引用発明１においても、イオン濃度調整体内の血液を完全に排出できるようにするために、イオン濃度調整体内へ空気を導入できるように構成することは、当業者が容易に想到できたことであるということができ、その具体化のために、引用例２に記載された従来周知の混注部材を引用発明１における連結チューブに単に適用することは、当業者が容易になし得ることである。
　したがって、相違点１に係る本願補正発明の構成は、当業者が容易に想到し得たものというべきである。
［相違点２］について
　上記「２．（２−１）（Ｇ）」及び上記「２．（２−１）（Ｈ）」で摘示したとおり、引用発明１におけるイオン濃度調整体内には、あらかじめイオン交換樹脂保護液が充填されているのであるから、イオン濃度調整体は、イオン交換樹脂保護液の外部への流通を遮断するための遮断手段を備えている筈であり、使用時に流通させるための流通手段も当然に備えているものと認められる。そして、血液等の液体処理器において、液体処理器内の血液等が外部へ流通するのを遮断する役割を果たすとともに外部へ流通させる役割を果たす手段としての連通部材は、例えば上記「２．（２−１）（Ｆ）」で摘示した「連通ピース１３」や特開平２−６３４７０号公報に記載された「遮断部材７」などに見られるように従来周知である。そうすると、引用発明１において、上記遮断手段及び流通手段に代えて上記従来周知の連通部材を採用するようなことは、当業者が容易に想到し得たことである。そして、連通部材を採用するに際し、連通部材を上部連結チューブと下部連結チューブとの間に配置した点は、当業者にとって単なる設計的事項にすぎない。
　したがって、相違点２に係る本願補正発明の構成も、当業者が容易に想到し得たものというべきである。
　
　そして、本願補正発明の作用効果も、引用例１、２及び周知技術から当業者が予測できる範囲内のものである。
　したがって、本願補正発明は、引用例１、２に記載された発明及び周知技術に基いて、当業者が容易に発明をすることができたものであるから、特許法第２９条第２項の規定により特許出願の際独立して特許を受けることができないものである。
　
　なお、請求人は、平成１４年７月３日付の審判請求理由補充書において、本願補正発明は「（１）使用時に新たな洗浄液（生理食塩液）を導入針３より、イオン濃度調整体２１内に導入する際に、例えば接続部２０中の空気がイオン濃度調整体２１内に入っても、空気とイオン交換樹脂９が接触しないように維持することができ、また接続部２０とイオン濃度調整体２１と連結体２２と輸血セット部（２３、２３Ａ、２３Ｂ）から構成されるイオン濃度調整装置１内を全て生理食塩液で置換・洗浄する際に空気がイオン交換樹脂９に噛み込まない状態に維持することができるので、血液の処理効率が向上する。」という効果を奏する旨主張しているが、上記「２．（２−１）（Ｇ）」及び上記「２．（２−１）（Ｈ）」で摘示したとおり、引用発明１においても、イオン濃度調整体としての輸血装置内に生理食塩液等のプライミング液があらかじめ充填されており、イオン濃度調整体の構成につき本願補正発明と比べて格別な差異があるとは認められないところからみて、引用発明１も本願補正発明と同様の効果を奏するものと認められるから、請求人の上記主張は採用できない。
　
（５）むすび
　以上のとおり、本件補正は、特許法第１７条の２第５項で準用する同法第１２６条第４項の規定に違反するものであり、特許法第１５９条第１項で読み替えて準用する特許法第５３条第１項の規定により却下されるべきものである。
　
３．本願発明について
　平成１４年７月３日付の手続補正は上記のとおり却下されたので、本願の請求項１に係る発明（以下、同項記載の発明を「本願発明」という。）は、平成１４年４月１６日付の手続補正書によって補正された特許請求の範囲の請求項１に記載された事項により特定される、以下のとおりのものである。
「接続部（２０、２０Ａ）とイオン濃度調整体（２１）と連結体（２２）と輸血セット部（２３、２３Ａ、２３Ｂ）から構成され、
　前記接続部（２０、２０Ａ）は導入針（３、３Ａ）と混注部材（５、１６）を有し、
　前記イオン濃度調整体（２１）はイオン調整室（８）の上部と下部にフィルター（７、７Ａ）を装着し、該フィルター（７、７Ａ）の間にイオン交換樹脂（９）を装填し、イオン調整室（８）内にイオン交換樹脂保護液（１０）を充填し、
　前記連結体（２２）は前記イオン濃度調整体（２１）の下流に接続される連結チューブ（４Ａ）と、前記輸血セット部（２３、２３Ａ、２３Ｂ）の上流に接続される連結チューブ（４Ｂ）と、前記各連結チューブ（４Ａ、４Ｂ）の間に配置される連通部材（１１）より構成され、
　前記輸血セット部（２３、２３Ａ、２３Ｂ）は点滴筒（１２）と該点滴筒（１２）に接続される輸血チューブ（１３）とから構成され、該輸血チューブ（１３）は途中にクランプ（１４）を装着するともに末端に注射針（１５）または接続部材（１７）を装着し、
　前記連通部材（１１）は前記イオン調整室（８）に充填されているイオン交換樹脂保護液（１０）が前記イオン濃度調整体（２１）側の連結チューブ（４Ａ）から前記輸血セット部（２３、２３Ａ、２３Ｂ）側の連結チューブ（４Ｂ）へ流通するのを遮断する役割を果たすとともに前記イオン交換樹脂保護液（１０）を前記イオン濃度調整体（２１）側の連結チューブ（４Ａ）から前記輸血セット部（２３、２３Ａ、２３Ｂ）側の連結チューブ（４Ｂ）へ流通させることができる、ことを特徴とするイオン濃度調整装置（１、１Ａ、１Ｂ）。」
　
（１）引用例
　原査定の拒絶の理由に引用された引用例、および、その記載事項は、前記「２．（２）」に記載したとおりである。
　
（２）対比・判断
　本願発明は、前記「２．（１）」で検討した本願補正発明から「接続部（２０）」の限定事項である「導入針（３）の下流に連結チューブ（４）を接続し、当該連結チューブ（４）の途中に混注部材（５）を配置することにより構成され」との構成を省き、「フィルター（７、７Ａ）」を装着する対象についての限定事項である「筒体（２）」と構成を省き、「イオン濃度調整体（２１）」の限定事項である「筒体（２）の上端と下端にそれぞれ上部キャップ（６）と下部キャップ（６Ａ）を冠着し」との構成を省き、「接続部（２０）」と「イオン濃度調整体（２１）」と「連結体（２２）」と「輸血セット部（２３、２３Ａ、２３Ｂ）」との配置関係についての限定事項である「前記接続部（２０）の下流に前記イオン濃度調整体（２１）が配置され、当該イオン濃度調整体（２１）の下流に前記連結体（２２）が配置され、当該連結体（２２）の下流に前記輸血セット部（２３、２３Ａ、２３Ｂ）が配置され、前記接続部（２０）の連結チューブ（４）の下流は、前記イオン濃度調整体（２１）を構成する上部キャップ（６）に接続され、前記イオン濃度調整体（２１）を構成する下部キャップ（６Ａ）は、前記連結体（２２）を構成する上部連結チューブ（４Ａ）に接続され、前記連結体（２２）を構成する下部連結チューブ（４Ｂ）の下流は、前記輸血セット部（２３、２３Ａ、２３Ｂ）を構成する点滴筒（１２）に接続されている」との構成を省いたものである。
　そうすると、本願発明の構成要件を全て含み、さらに他の構成要件を付加したものに相当する本願補正発明が、前記「２．（３）及び（４）」に記載したとおり、引用例１、２及び周知技術に基いて、当業者が容易に発明をすることができたものであるから、本願発明も、同様の理由により、引用例１、２及び周知技術に基いて、当業者が容易に発明をすることができたものである。
　
（３）むすび
　以上のとおり、本願発明は、引用例１、２に記載された発明及び周知技術に基いて、当業者が容易に発明をすることができたものであるから、特許法第２９条第２項の規定により特許を受けることができない。
　よって、結論のとおり審決する。